(57)【要約】【課題】建築業者によるトイレブースの内装工事が全て終ってから、設備業者が１回で施工できる配管ケースのフレーム施工方法を提供する。【解決手段】トイレブース８，８内に配管ケース１Ａ，１Ｂを設置する施工方法であって、対角寸法がトイレブースの左右両側壁８ｂ，８ｂの内面間寸法よりも短い前フレーム１０を、トイレブース８内に搬入して方向転換させ、前フレーム１０を長手方向が左右を向くようにトイレブース８内の床面に固定させた後、前フレーム１０の上端とトイレブースの奥壁８ａに固定した壁固定部材１２間に別体の上面フレーム１１を取り付けて、前フレーム１０と上面フレーム１１で配管ケース１Ａ，１Ｂを形成させる。【選択図】図２
2010265705.tif 000002
【特許請求の範囲】
【請求項１】
トイレブース内に配管ケースを設置する施工方法であって、
対角寸法が前記トイレブースの左右両側壁の内面間寸法よりも短い前フレームを、前記トイレブース内に搬入して方向転換させ、該前フレームを長手方向が左右を向くようにしてトイレブースの床面に固定させた後、
該前フレームの上端と、トイレブースの奥壁間に、別体の上面フレームを取り付けて、前記前フレームと前記上面フレームで配管ケースを形成させる
ことを特徴とする配管ケースのフレーム施工方法。
【請求項２】
前記上面フレームは、平面視長方形状の外周辺のみで構成され、
該上面フレームの外周辺の内側に、上方側から配管等を入れて、該配管等を前記前フレームに取り付ける
ことを特徴とする請求項１に記載の配管ケースのフレーム施工方法。
【請求項３】
配管ケースのフレームは、
対角寸法をトイレブースの左右両側壁の内面間寸法よりも短く形成した前フレームと、
平面視矩形の上面フレームを備え、
該上面フレームは前記前フレームの上端に着脱可能に構成されている
ことを特徴とする配管ケースのフレーム構造。
【発明の詳細な説明】
【技術分野】
【０００１】
本発明は、トイレブース内に設置される配管ケースのフレームの施工方法およびこの配管ケースのフレーム構造に関するものである。
【背景技術】
【０００２】
従来、オフィスビル等のハブリックトイレを施工する場合、建築業者によるトイレブースの天井や壁の下地工事の次に、設備業者による配管工事や器具取り付け補強工事が入り、その後に、建築業者による天井や壁や床の仕上げ工事が行われてトイレブースが仕上げられ、その後に、設備業者による便器の取り付け工事が行われる。そのため、建築業者の工事と設備業者の工事の工程管理が複雑となり、工事日数が増加してしまうという問題点があった。
また、従来、設備業者が配管を組み込んだ配管ケースを先に設置してから、建築業者がトイレブースの内装工事を行う施工方法もあるが、この場合でも、建築業者と設備業者による施工工程が複雑なものとなってしまうという問題点があった。
そのような問題点を解決するために、建築業者によるトイレブースの内装工事の完了後に、例えば特許文献１に開示されているようなフレームを用いて、設備業者が１回で施工を完了する場合がある。
【先行技術文献】
【特許文献】
【０００３】
【特許文献１】特開２００４−２１１３６５号公報
【発明の概要】
【発明が解決しようとする課題】
【０００４】
上記特許文献１に開示されているフレームは、コアフレームの左右側に摺動可能に右端フレームと左端フレームが取り付けられて構成され、トイレブースの完成後に、このフレームをトイレブース内に設置し、コアフレームに対し右端フレームと左端フレームを左右側へ摺動させて、トイレブースの間口寸法に対応させて隙間なく設置できるように構成したものであり、設備業者が、トイレブースの完了後にフレームをトイレブース内に設置して便器を設置することができるものであるが、この特許文献１に開示されているフレームは構造が複雑であり、コストが掛かりすぎるという新たな問題点があった。
【課題を解決するための手段】
【０００５】
本発明は、施工の工程管理が容易で、施工コストを低減させることのできる配管ケースのフレーム施工方法および配管ケースのフレーム構造の提供を目的とし、この目的の少なくとも一部を達成するために以下の手段を採った。
本発明の配管ケースのフレーム施工方法は、トイレブース内に配管ケースを設置する施工方法であって、対角寸法が前記トイレブースの左右両側壁の内面間寸法よりも短い前フレームを、前記トイレブース内に搬入して方向転換させ、該前フレームを長手方向が左右を向くようにしてトイレブースの床面に固定させた後、該前フレームの上端とトイレブースの奥壁間に別体の上面フレームを取り付けて、前記前フレームと前記上面フレームで配管ケースを形成させることを要旨とする。
【発明の効果】
【０００６】
本発明の配管ケースのフレーム施工方法では、対角寸法がトイレブースの間口寸法よりも短い前フレームをトイレブース内に入れて方向転換させ、前フレームをトイレブース内の床面に固定させることができ、この固定させた前フレームの上端に別体の上面フレームを取り付けることで、トイレブース内に配管ケースを良好に設置することができ、建築業者によるトイレブース内装工事が全て終ってから設備業者が１回の施工でトイレブース内に配管ケースを設置することができ、施工工程が複雑なものとならず、施工の工程管理が容易となり、工事日数を減少させることができる。
また、トイレブースはそのまま残して配管ケースや便器を交換する改修工事においても、設備業者が１回の施工でトイレブース内に配管ケースを設置することができる。
【０００７】
また、本発明の配管ケースのフレーム施工方法において、前記上面フレームは、平面視長方形状の外周辺のみで構成され、該上面フレームの外周辺の内側に、上方側から配管等を入れて該配管等を前記前フレームに取り付けるものとすることもできる。
こうすれば、前フレームの上端に上面フレームを取り付けた後に、上面フレームの上方より配管ケースの内部に配管等を入れて、配管等を前フレームに良好に取り付けて順次施工してゆくことができるものとなり、構造が簡単でコストを低減させてトイレブース内に配管ケースを設置することができる。
【０００８】
また、本発明の配管ケースのフレーム構造は、対角寸法をトイレブースの左右両側壁の内面間寸法よりも短く形成した前フレームと、平面視矩形の上面フレームを備え、該上面フレームは前記前フレームの上端に着脱可能に構成されていることを要旨とする。
配管ケースは、前フレームと上面フレームで構成され、構造が簡単でコストが低減されるものとなり、完成後のトイレブース内に前フレームを入れて、前フレームをトイレブース内で良好に方向転換させて設置することができ、その後に、前フレームの上端に上面フレームを取り付けて、良好にトイレブース内に配管ケースを設置することができ、建築業者のブース内装工事が全て終ってから設備業者が１回でトイレブース内に配管ケースを施工することができ、施工工程が単純化し、工事日数を減少させて施工コストを低減させることができる。
【図面の簡単な説明】
【０００９】
【図１】２連タイプの壁掛式便器の構成部材の分解斜視図である。
【図２】図１の２連タイプの配管ケースの設置状態の斜視構成図である。
【図３】配管ケースを構成する前フレームの正面構成図である。
【図４】前フレームの平面構成図である。
【図５】前フレームの側面構成図である。
【図６】配管ケースを構成する上面フレームの平面構成図である。
【図７】上面フレームの正面構成図である。
【図８】完成されたトイレブース内に前フレームを搬入する施工工程の平面図である。
【図９】完成されたトイレブース内に前フレームを設置した状態の正面構成図である。
【図１０】トイレブース内に前フレームを設置し、その上端に上面フレームを取り付ける状態の斜視構成図である。
【図１１】前フレームに上面フレームを取り付けた状態の斜視構成図である。
【図１２】前フレームに取り付けた上面フレームの上方より配管等を入れて、配管等を前フレームに取り付け、更に便器を取り付けた状態の斜視構成図である。
【図１３】トイレブース内に壁掛式大便器を設置した施工完成状態の斜視構成図である。
【図１４】２連タイプの床置式便器の構成部材の分解斜視図である。
【図１５】図１４の配管ケースの構成部材である前フレームをトイレブース内に固定し、その上面に上面フレームを取り付ける作業工程の分解斜視図である。
【図１６】床置式大便器を設置したトイレブースの完成図である。
【発明を実施するための形態】
【００１０】
次に、本発明を実施するための形態を実施例を用いて説明する。
図１は、２連タイプの壁掛式便器の構成部材の分解斜視図であり、各トイレブース内に設置される配管ケース１Ａと配管ケース１Ｂ内に、横引き状に排水管１７と給水管１８等が取り付けられるタイプである。
配管ケース１Ａおよび配管ケース１Ｂの前面には、それぞれ下前板２と上前板３が取り付けられ、下前板２および上前板３の左右側方には、間口調整用の間口調整板４ａ，４ｂが配置される。また、下前板２，２の下端には巾木５が設置され、各下前板２に前側より大便器６が取り付けられる。また、配管ケース１Ａおよび１Ｂの上面には、それぞれ天板７，７が設置される。
【００１１】
図２は、配管ケース１Ａと１Ｂがそれぞれトイレブース８，８内に設置されて、その内部に横引き状に排水管１７，給水管１８等が設置された状態の斜視図である。
配管ケース１Ａ，配管ケース１Ｂは、それぞれ前フレーム１０と上面フレーム１１で構成されている。
配管ケース１Ａ，１Ｂを構成する前フレーム１０の正面図を図３に示し、図４では前フレームの平面図を、図５では前フレームの右側面図を示す。
【００１２】
前フレーム１０は、底枠材１０ａの左右端側から上方へ立ち上げて縦枠材１０ｂ，１０ｂが設けられ、縦枠材１０ｂ，１０ｂの上端に上面パイプ１０ｃが枠組み形成されており、縦枠材１０ｂ，１０ｂと平行状に内側に間隔をおいて縦骨１０ｅ，１０ｅが設けられている。この一対の縦骨１０ｅ，１０ｅの下端側に、排水プレート１０ｆが設けられており、また、一対の縦骨１０ｅ，１０ｅの上端と上面パイプ１０ｃ間には前板固定金物１０ｇ，１０ｇが設けられている。また、底枠材１０ａの中央部から後方側へ水平に突出して平面視門型状の床固定部１０ｄが一体形成されており、この床固定部１０ｄには複数の長孔１０ｉ，１０ｉが形成されている。また、底枠材１０ａには高さ調節ボルト１０ｈ，１０ｈが設けられている。
【００１３】
この前フレーム１０の左右方向の長手寸法ａは、例えば８１０ｍｍに規格化されており、また、図４に平面図で示すように、前フレーム１０の上面パイプ１０ｃの左右の一端側前端ｂ１と他端側後端ｂ２間の長手寸法である対角寸法ｂは、例えば８１１ｍｍに設定されている。この対角寸法ｂは、前フレーム１０を平面視した場合の前フレーム１０の前後幅の対角を結ぶ直線距離で最も大きくなる最大寸法である。
なお、底枠材１０ａの左右一端側の前端ｂ１と他端側の床固定部１０ｄの他端側後端との距離ｄは、対角寸法ｂより小さく設定されている。
【００１４】
また、前フレーム１０を構成する上面フレーム１１は、図６の平面図で、また図７の正面図で示すような構造となっている。
この上面フレーム１１は、一対の平行な長尺部１１ａ，１１ａと、一対の長尺部１１ａ，１１ａの左右端側を連結する一対の短尺部１１ｂ，１１ｂで平面視長方形状に枠組みされ、内側は上下に貫通した内側空間Ｓを形成している。また、一対の長尺部１１ａ，１１ａには複数の凹孔１１ｃ，１１ｃが形成されており、各凹孔１１ｃの上面側は、例えば直径２０ｍｍの大径孔となっており、下面側は直径５ｍｍの小径孔となっている。
この上面フレーム１１の長尺部１１ａ，１１ａの長手寸法ａも８１０ｍｍに規格化されている。
このように規格化された寸法の前フレーム１０と上面フレーム１１を組み合わせてトイレブース８内に配管ケース１Ａ，１Ｂ形成させることができる。
【００１５】
各トイレブース８は、図８の平面図で、また図９の正面図で示すように、建築業者により既に完成された状態にある。即ち、各トイレブース８は、壁パネルで構成された奥壁８ａから前方側へ向かって左右の側壁８ｂ，８ｂが設けられ、左右の側壁８ｂ，８ｂの前端側には壁パネルで構成された前壁８ｃ，８ｃが設けられて、入口には開閉可能に入口ドア９が設けられている。
このトイレブース８の奥壁８ａ、左右の側壁８ｂ，８ｂ、前壁８ｃの内装仕上げ、および床面８ｄおよび天井面の内装仕上げは終った状態となっている。
一般的に、多目的な利用等を配慮せずに、健常者が使用するための便器のみを設置する場合、この各トイレブース８の間口寸法ｃは８３０ｍｍ〜９３０ｍｍ程度に仕上げられている。
【００１６】
例えば間口寸法（左右の側壁８ｂ，８ｂの内面間寸法）ｃが８３０ｍｍに仕上げられている場合であっても、図８に示すように、前フレーム１０を、奥壁８ａに対し長手方向を直交させるような状態で入口ドア９側からトイレブース８内に搬入し、トイレブース８内で前フレーム１０の長手方向が左右を向くように方向転換させて、前フレーム１０を奥壁８ａとほぼ平行状に設置することができる。
即ち、前フレーム１０の対角寸法ｂは８１１ｍｍで、トイレブースの間口寸法８３０ｍｍよりも小さく設定されているため、トイレブース８内でも良好に回転させて方向転換させ、奥壁８ａに平行状に設置することができる。このように前フレーム１０は、完成されたトイレブース８内に容易に搬入して、内部で方向転換させることができるものである。
【００１７】
なお、設備業者は、図１０および図１１に示すように、予めトイレブース８の奥壁８ａの所定高さ位置に、ボルト１３を介してアングル状の壁固定部材１２を固設させておく。
また、図１１に示すように、床面８ｄから複数のボルト１５を立ち上げておき、この各ボルト１５を、搬入した前フレーム１０の床固定部１０ｄの各長孔１０ｉ内に差し込んで、ボルト１５に対し上方からワッシャーを介在させてナット１６を締め付けることで、床固定部１０ｄが床面８ｄに固定され、これにより前フレーム１０をトイレブース８内に立ち上げ状に固定することができる。
【００１８】
前フレーム１０を固定した後に、図１０に示すように、前フレーム１０の上端の上面パイプ１０ｃの上面と、奥壁８ａに固設した壁固定部材１２の上面間に、上面フレーム１１を載せて、上面フレーム１１の各凹孔１１ｃ内に上方よりそれぞれタッピングネジ１４を入れ、タッピングネジ１４を前フレーム１０の上面パイプ１０ｃと壁固定部材１２に締め付けることで、複数のタッピングネジ１４を介して上面フレーム１１を前フレーム１０の上端と壁固定部材１２間に固定することができる。
【００１９】
このようにして、トイレブース８内に前フレーム１０を固定し、さらに上面フレーム１１を固定して、前フレーム１０と上面フレーム１１で構成される配管ケース１Ａ，１Ｂを各トイレブース８内にそれぞれ設置することができる。
その後に、上面フレーム１１の内側空間Ｓを通し配管ケース１Ａ，１Ｂ内に、上方側から配管１７，１８等を入れてゆくことができる。
なお、２つのトイレブース８，８間を仕切る側壁８ｂには、配管１７，１８を通すことのできる切欠開口８ｅを予め形成させておく。
【００２０】
排水管１７は、予め通気管接続エルボ１７ａ，ゴムジョイント１７ｂを連結して横方向に配管ケース１Ｂ内まで延びる長さに組み付けておき、この横長の排水管１７を、例えば配管ケース１Ａ側の内側空間Ｓを通して配管ケース１Ｂ内まで達するように下方へ降ろし、各配管ケース１Ａ，１Ｂの排水プレート１０ｆ，１０ｆに整合させて排水管１７を配置することができ、複数の支持金具２１を前フレーム１０にネジ止めして、この各支持金具２１にＵボルト２２を介して排水管１７を配管ケース１Ａ，１Ｂの各前フレーム１０，１０に取り付けることができる。
【００２１】
また、給水管１８も同様に、長尺状に連結した状態で内側空間Ｓを通し下方へ入れて、複数の支持金具２１とＵボルト２２を介して配管ケース１Ａおよび１Ｂの各前フレーム１０，１０に取り付けることができる。
さらに洗浄管１９も、それぞれ内側空間Ｓを通し下方へ入れて、支持金具２１とUボルト２２を介して前フレーム１０，１０にそれぞれ取り付けることができ、フラッシュバルブ２０，２０も、それぞれ内側空間Ｓから下方へ差し入れて、前フレーム１０，１０にそれぞれ取り付けることができるものである。
【００２２】
次に、図１２に示すように、各前フレーム１０の前面に下前板２を取り付け、下前板２の前面に大便器６をそれぞれ取り付けることができる。
なお、大便器６の後面側にはゴム継手２５が設けられ、ゴム継手２５とスパッド２６を介して大便器６の排水口を排水管１７にそれぞれ接続することができる。
また、各前フレーム１０の左右端側にそれぞれ間口調整板４ａ，４ｂを配置させ、この間口調整板４ａ，４ｂを左右方向に移動調整し、各間口調整板４ａ，４ｂをそれぞれトイレブース８の左右の側壁８ｂ，８ｂに隙間がないようにほぼ当接状態にして配置させることができる。なお、下前板２，上前板３および左右の間口調整板４ａ，４ｂは前フレーム１０にネジ等で固定することができる。
【００２３】
さらに図１３のように、上前板３にタッチスイッチ２３を取り付け、下前板２にコンセントプレート２４を取り付け、さらに、天板７を上面フレーム１１上に面ファスナー等を用いて着脱可能に取り付けることで、図１３のように、各トイレブース８内にそれぞれ大便器６が設置完了される。
【００２４】
このように本例では、内装が終ったトイレブース８内に、前フレーム１０と上面フレーム１１を搬入して組み付けることで、トイレブース８内に配管ケース１Ａ，１Ｂを良好に設置することができ、建築業者によるトイレブース８の工事が全て終ってから設備業者が配管ケース１Ａ，１Ｂを組み立てて大便器６を設置することができ、設備業者は１回の施工で大便器の設置ができ、施工工程が単純化して工程管理が容易となり、工事日数を減少させることができる。
【００２５】
また、配管ケース１Ａ，１Ｂは前フレーム１０と上面フレーム１１からなる簡単な構造であり、コストも低減させて施工も容易なものとなる。
また、上面フレーム１１は、一対の長尺部１１ａ，１１ａと一対の短尺部１１ｂ，１１ｂとで平面視長方形状の外周辺のみの枠状に構成してあり、上下に開口した内側空間Ｓを広く確保しているため、前フレーム１０と上面フレーム１１を組み付けた後に、上方側から配管ケース１Ａ，１Ｂの内部に配管１７，１８等を入れ込んで配設することができ、配管の取り付け工事も容易に行なえるものである。
【００２６】
次に、図１４〜図１６では床置式大便器について説明する。
２連タイプの床置式便器は、図１４に示すような構成部材で構成されており、床置式の大便器６の場合は、トイレブースの床面８ｄに床固定部材２７，２７を介在させてそれぞれ大便器６が固定されるものであり、大便器６は床面８ｄに固定されるため、配管ケース１Ａ，１Ｂを強固に床面８ｄに固定させる必要はないため、各配管ケース１Ａ，１Ｂの前フレーム１０には床固定部１０ｄは存在しない。
従って、前フレーム１０の前後方向の幅長は狭く、前フレーム１０の対角寸法ｂは８１１ｍｍに設定されているため、間口寸法ｃが８３０ｍｍのトイレブース８内でも良好に回転させて方向転換させ、奥壁８ａに平行状に設置することができる。
【００２７】
図１５のように、前フレーム１０を奥壁８ａと平行状に立設固定させた後に、その上面と、奥壁８ａに固定した壁固定部材１２間に上面フレーム１１を取り付けて、トイレブース８内に配管ケース１Ａ，１Ｂを形成させることができ、この配管ケース１Ａ，１Ｂ内に配管１７，１８を入れ込んで取り付け、前フレーム１０の前面に前板２，３および間口調整板４ａ，４ｂを配置させ、上面フレーム１１上に天板７を取り付けて、図１６のように、床置式大便器を各トイレブース８内に設置することができるものである。
【００２８】
このような床置式大便器を設置する場合でも、建築業者によるトイレブース８の内装工事が全て終ってから、設備業者が１回で床置式大便器をトイレブース８内に施工することができ、施工工程が単純化して工事日数を減少させることができるものとなる。
なお、上記した配管ケースの施工方法によれば、トイレブース８はそのまま残して内部の配管ケース１Ａ，１Ｂおよび便器６を取り換える改修工事においても、容易にトイレブース８内に配管ケース１Ａ，１Ｂと新たな便器６を設置することができ、改修工事も設備業者の１回の施工で行うことができるものとなる。
なお、本実施例では、間口寸法８３０ｍｍ〜９３０ｍｍのトイレブースに対応するフレームの寸法を８１０ｍｍとしたが、例えば多目的に利用可能なトイレブースにも適用するように、他にも寸法バリエーションの異なるものを用意しておくことができる。
【符号の説明】
【００２９】
１Ａ，１Ｂ  配管ケース
２  下前板
３  上前板
４ａ，４ｂ  間口調整板
６  大便器
７  天板
８  トイレブース
８ａ  奥壁
８ｂ  側壁
８ｃ  前壁
８ｅ  切欠開口
９  入口扉
１０  前フレーム
１０ａ  底枠材
１０ｂ  縦枠材
１０ｃ  上面パイプ
１０ｄ  床固定部
１０ｅ  縦骨
１０ｆ  排水プレート
１０ｈ  高さ調節ボルト
１１  上面フレーム
１１ａ  長尺部
１１ｂ  短尺部
１１ｃ  凹孔
１２  壁固定部材
１３  ボルト
１４  タッピングネジ
１５  ボルト
１７  排水管
１８  給水管
１９  洗浄管
２０  フラッシュバルブ
２７  床固定部材
【図１】
2010265705.tif 000003
【図２】
2010265705.tif 000004
【図３】
2010265705.tif 000005
【図４】
2010265705.tif 000006
【図５】
2010265705.tif 000007
【図６】
2010265705.tif 000008
【図７】
2010265705.tif 000009
【図８】
2010265705.tif 000010
【図９】
2010265705.tif 000011
【図１０】
2010265705.tif 000012
【図１１】
2010265705.tif 000013
【図１２】
2010265705.tif 000014
【図１３】
2010265705.tif 000015
【図１４】
2010265705.tif 000016
【図１５】
2010265705.tif 000017
【図１６】
2010265705.tif 000018